(57)【要約】【課題】如何なる表示モードの外部表示装置を接続しても、外部表示装置の表示画面中の入力がなされた指定内容を確実に処理し得る放送受信端末装置を提供する。【解決手段】ＣＰＵ１４は、カーナビゲーション表示装置２０の表示モードを示す表示モードデータを取得し、カーナビゲーション表示装置２０のモニタ２２の任意の表示位置にユーザがタッチした場合に、この表示位置を示す座標データを取得するようにしている。そして、到来した表示モードと自端末の表示モードとを比較し、この比較結果に基づいてカーナビゲーション表示装置２０からの座標データを自端末の座標データに変換するようにした。【選択図】      図１
2005294961.tif 000002
【特許請求の範囲】
【請求項１】
放送信号を受信して、この受信信号を接続される外部表示装置に再生表示し、この表示画面中の所定の入力が与えられた位置の表示内容に従った処理を実行する放送受信端末装置であって、
前記外部表示装置から表示モードを示すモード情報を取得する取得手段と、
前記外部表示装置の表示画面中の任意の表示位置に対し所定の入力が与えられたとき、前記取得手段で得られるモード情報が示す外部表示モードと自装置の内部表示モードとを比較し、この比較結果に基づいて、入力表示位置を示す第１の座標情報を内部表示モードに対応する第２の座標情報に変換し、この第２の座標情報による処理を実行する制御手段とを具備したことを特徴とする放送受信端末装置。
【請求項２】
前記制御手段は、互いに異なる複数の表示モードそれぞれに対応付けて、予め前記外部表示装置の表示画面に入力が与えられた位置情報を記憶する記憶媒体を備え、前記取得手段で得られる外部表示モードに対応する位置情報、及び内部表示モードに対応する位置情報を記録媒体から読み出して位置誤差を求め、この位置誤差に基づいて前記第１の座標情報を前記第２の座標情報に変換することを特徴とする請求項１記載の放送受信端末装置。
【請求項３】
前記取得手段は、前記外部表示装置の表示画面中に表示エリアの基準となる縦及び横の基準線と、該縦の基準線に対し、指示入力に応じて横方向に移動可能で前記表示エリアの横方向の表示境界位置を決定する縦の直線と、該横の基準線に対し、指示入力に応じて縦方向に移動可能で前記表示エリアの縦方向の表示境界位置を決定する横の直線を表示し、
前記制御手段は、前記縦の基準線に対する前記縦の直線のずれ量及び前記横の基準線に対する前記横の直線のずれ量に基づいて、前記第１の座標情報を前記第２の座標情報に変換することを特徴とする請求項１記載の放送受信端末装置。
【請求項４】
前記制御手段は、前記外部表示装置の表示画面中の予め決められた位置に入力が与えられた場合に、前記第１の座標情報を前記第２の座標情報に変換することを特徴とする請求項１記載の放送受信端末装置。
【請求項５】
さらに前記複数の外部表示装置を接続するためのインタフェースを備え、
前記取得手段は、前記複数の外部表示装置に対し前記インタフェースを介して選択的にアクセスして、前記モード情報を取得することを特徴とする請求項１記載の放送受信端末装置。
【請求項６】
放送信号を受信して、この受信信号を接続される外部表示装置に再生表示し、この表示画面中の所定の入力が与えられた位置の表示内容に従った処理を実行する放送受信端末装置で使用される制御方法であって、
前記外部表示装置から表示モードを示すモード情報を取得し、
前記外部表示装置の表示画面中の任意の表示位置に対し所定の入力が与えられたとき、前記モード情報が示す外部表示モードと放送受信端末装置の内部表示モードとを比較し、この比較結果に基づいて、入力表示位置を示す第１の座標情報を内部表示モードに対応する第２の座標情報に変換し、
この第２の座標情報による処理を実行するようにしたことを特徴とする放送受信端末装置の制御方法。
【発明の詳細な説明】
【技術分野】
【０００１】
この発明は、例えばカーナビゲーション用表示装置を接続して放送内容を表示し、表示画面中にタッチパネルによる指示入力があった場合に、この指示入力内容に従った処理を実行する放送受信端末装置及びこの放送受信端末装置の制御方法に関する。
【背景技術】
【０００２】
近年、自動車向けサービスにあっては、ＧＰＳ（Global Positioning System）衛星を利用したナビゲーションサービスを始めとする種々のサービスが普及している。また、現在のＡＭ，ＦＭ放送以外に、近時、移動体向けのデジタル放送の開始も予定されている。
【０００３】
ところで、上記デジタル放送では、画像や音声による放送（テレビジョン放送、ラジオ放送）だけでなく、文字やデータによる放送（データ放送）も可能である。すなわち、放送局は、命令やプログラム等を例えばテレビジョン放送信号に多重化してこれを放送チャンネルにより送信する。車載型テレビジョン受像機等の放送受信端末は、受信した命令やプログラムによりデータ放送が提供する各サービスのメニュー画面を作成して表示する。この状態でユーザが受信を希望するデータ放送番組を指定すると、放送局が上記放送チャンネルにより放送している各番組のデータ放送信号の中から該当する番組のデータ放送信号が放送受信端末で受信され、そのデータの内容が表示される。
【０００４】
なお、自動車内では、運転中でもメニュー画面から任意のチャンネルや任意のデータ放送番組を指定できるように、放送受信端末にタッチパネル式のカーナビゲーション表示装置を接続し、メニュー画面中の任意のチャンネルや任意のデータ放送番組の表示位置を指でタッチすることで指定できる方法も提案されている（例えば、特許文献１）。
【特許文献１】特開２０００−１２２７７７号公報。
【発明の開示】
【発明が解決しようとする課題】
【０００５】
ところが、上記方法では、放送受信端末の表示モードとカーナビゲーション表示装置の表示モードとが異なる場合に、放送受信端末側ではカーナビゲーション表示装置の表示モードを認識することができない。したがって、ユーザがカーナビゲーション表示装置に表示されるメニュー画面に指でタッチしても任意のチャンネルやデータ放送番組を指定できず、また誤ったチャンネルやデータ放送番組を指定してしまうこともある。
【０００６】
そこで、この発明の目的は、如何なる表示モードの外部表示装置を接続しても、外部表示装置の表示画面中の入力がなされた指定内容を確実に処理し得る放送受信端末装置及びこの放送受信端末装置の制御方法を提供することにある。
【課題を解決するための手段】
【０００７】
この発明は、上記目的を達成するために、以下のように構成される。  
放送信号を受信して、この受信信号を接続される外部表示装置に再生表示し、この表示画面中の所定の入力が与えられた位置の表示内容に従った処理を実行する放送受信端末装置であって、外部表示装置から表示モードを示すモード情報を取得する取得手段と、外部表示装置の表示画面中の任意の表示位置に対し所定の入力が与えられたとき、取得手段で得られるモード情報が示す外部表示モードと自装置の内部表示モードとを比較し、この比較結果に基づいて、入力表示位置を示す第１の座標情報を内部表示モードに対応する第２の座標情報に変換し、この第２の座標情報による処理を実行する制御手段とを備えるようにしたものである。
【０００８】
この構成によれば、接続される外部表示装置の表示モードを示すモード情報が取得されることになり、外部表示装置の表示画面中の任意の表示位置に所定の入力が与えられると、この表示位置を示す第１の座標情報が取得される。そして、モード情報が示す外部表示モードと自装置の内部表示モードとを比較することで外部表示モードの表示位置と内部表示モードの表示位置との差が判定され、この差に基づいて第１の座標情報が内部表示モードの第２の座標情報に変換される。従って、如何なるタイプの外部表示装置を使用しても、外部表示装置の表示画面中の入力が与えられた位置の表示内容に応じて正確な処理を行うことができる。
【０００９】
制御手段は、互いに異なる複数の表示モードそれぞれに対応付けて、予め外部表示装置の表示画面に入力が与えられた位置情報を記憶する記憶媒体を備え、第１の取得手段で得られる外部表示モードに対応する位置情報、及び内部表示モードに対応する位置情報を記録媒体から読み出して位置誤差を求め、この位置誤差に基づいて第２の取得手段で得られた座標情報を内部表示モードに対応する座標情報に変換することを特徴とする。
【００１０】
この構成によれば、記憶媒体に表示モードと予め入力が与えられた表示位置情報との対応関係を表すデータを記憶しておくことにより、外部表示装置の表示画面中に入力が与えられた表示位置を示す座標情報を取得した場合に、記憶媒体に記憶されている外部表示モードの位置情報と内部表示モードの位置情報との位置誤差を使用して、簡単な手順により座標情報の変換処理を行うことができる。
【００１１】
取得手段は、外部表示装置の表示画面中に表示エリアの基準となる縦及び横の基準線と、該縦の基準線に対し、指示入力に応じて横方向に移動可能で表示エリアの横方向の表示境界位置を決定する縦の直線と、該横の基準線に対し、指示入力に応じて縦方向に移動可能で表示エリアの縦方向の表示境界位置を決定する横の直線を表示し、制御手段は、縦の基準線に対する縦の直線のずれ量及び横の基準線に対する横の直線のずれ量に基づいて、第１の座標情報を第２の座標情報に変換することを特徴とする。  
この構成によれば、ユーザが自身で外部表示装置の表示画面を見やすい画面に調整した場合に、その調整した画面に応じて得られた第１の座標情報を内部表示モードの第２の座標情報に変換することができる。
【００１２】
制御手段は、外部表示装置の表示画面中の予め決められた位置に入力が与えられた場合に、第１の座標情報を第２の座標情報に変換することを特徴とする。  
この構成によれば、外部表示装置の表示画面において入力を与えることが可能な表示エリアを限定することができ、これによりユーザが要求する処理等を明確化でき、処理負荷を抑えることができる。また、入力可能な表示エリアの外部表示モード用座標情報と内部表示モード用座標情報との対応関係を表すデータを記憶媒体に格納しておくようにすれば、少ないメモリ容量で座標情報の変換処理を迅速に行うことができる。
【００１３】
さらに複数の外部表示装置を接続するためのインタフェースを備え、取得手段は、複数の外部表示装置に対しインタフェースを介して選択的にアクセスして、モード情報を取得することを特徴とする。  
この構成によれば、複数のユーザが１つの放送受信端末装置を共用する場合に、各ユーザごとに外部表示装置の表示画面に対し任意の表示位置に入力を与えて要求した処理を放送受信端末装置に実行させることができる。
【発明の効果】
【００１４】
以上詳述したようにこの発明によれば、如何なる表示モードの外部表示装置を接続しても、外部表示装置の表示画面中の入力がなされた指定内容を確実に処理し得る放送受信端末装置及びこの放送受信端末装置の制御方法を提供することができる。
【発明を実施するための最良の形態】
【００１５】
以下、この発明の実施形態について図面を参照して詳細に説明する。  
（第１の実施形態）  
図１は、この発明に係わる放送受信端末装置が使用されるシステムの第１の実施形態を示すブロック図である。
【００１６】
このシステムは、放送受信端末装置としての放送受信端末１０と、外部表示装置としてのカーナビゲーション表示装置２０とから構成される。これらの放送受信端末１０及びカーナビゲーション表示装置２０にはそれぞれインタフェース１１，２１が設けられており、互いに接続可能になっている。
【００１７】
ところで、放送受信端末１０は、アンテナ１２と、チューナ１３と、ＣＰＵ１４と、メモリ１５と、表示コントローラ１６とを備えている。図示しない放送局から放送された放送信号は、アンテナ１２を介してチューナ１３で受信されたのちＣＰＵ１４に入力され、ここで所定の映像信号処理が施される。ここで、得られた映像信号は、表示コントローラ１６及びインタフェース１１を介してカーナビゲーション表示装置２０に供給される。表示コントローラ１６は、映像同期信号に基づいてカーナビゲーション表示装置２０に対し偏向制御処理を行う。したがって、カーナビゲーション表示装置２０のモニタ２２には受信映像が表示される。
【００１８】
さらに、カーナビゲーション表示装置２０は、タッチパネル２３と、タッチパネルコントローラ２４と、ＣＰＵ２５と、メモリ２６と、表示コントローラ２７と、セレクタ２８とを備えている。このうちタッチパネル２３は、ユーザがチャンネル指定やナビゲーション表示指定など、放送受信端末１０及びカーナビゲーション表示装置２０に対し種々の動作指示を入力するために使用するもので、希望するデータ放送番組の取得指示の入力にも使用される。ここで、チャンネル指定やデータ放送番組の取得指示が入力された場合には、ユーザによりタッチされた表示位置を示す座標データがタッチパネルコントローラ２４によりメモリ２６に記憶保持されるとともに、ＣＰＵ２５により座標データがインタフェース２１を介して放送受信端末１０に通知される。
【００１９】
表示コントローラ２７は、セレクタ２８をカーナビゲーション表示に切り替えてモニタ２２にカーナビゲーション表示を行わせる。
【００２０】
一方、放送受信端末１０のＣＰＵ１４は、放送信号の受信表示動作に係わる通常の制御機能に加え、この発明に係わる新たな機能として、表示モード取得機能１４ａ及びデータ変換機能１４ｂを備えている。
【００２１】
表示モード取得機能１４ａは、起動時もしくはユーザの指示に応じて、カーナビゲーション表示装置２０に対しインタフェース１１を介して表示モードの取得要求を送出するとともに、この取得要求に応じてカーナビゲーション表示装置２０が送信する表示モードデータを受信する。そして、受信した表示モードデータをメモリ１５に記憶保持する。
【００２２】
データ変換機能１４ｂは、カーナビゲーション表示装置２０から座標データが到来した場合に、メモリ１５からカーナビゲーション表示装置２０の表示モードデータ及び自端末の表示モードデータを読み出して比較照合し、この結果に基づいて受信座標データを自端末用の座標データに変換して入力指示に応じた処理を実行する。
【００２３】
なお、メモリ１５には、座標変換プログラム１５ａが記憶されている。また、メモリ１５には、カーナビゲーション表示装置２０のモニタ２２に表示すべくメニュー画面等のデータが記憶されている。
【００２４】
次に、以上のように構成されたシステムの動作を説明する。  
カーナビゲーション表示装置２０はワイド画面をもつが、入力される映像のアスペクト比が４：３の場合には全画面のフル表示ができないため、図２（ｂ）〜（ｄ）に示す如く、複数種類の表示モードを備えている。
【００２５】
表示モードの切替は、ユーザが所定の操作を行うことで、各モードに設定できるようになっている。放送受信端末１０は、カーナビゲーション表示装置２０から送られる表示モードデータを取得することによって、現在のカーナビゲーション表示装置２０の表示モードを知ることができる。
【００２６】
放送受信端末１０は、表示モードそれぞれの座標系から実際のテレビジョン放送そのままの座標系へ変換するための座標変換プログラム１５ａをメモリ１５に記憶する。
【００２７】
例えば図２（ｂ）に示すモード１の場合、放送受信端末１０がアスペクト比４：３の映像を出力し、カーナビゲーション表示装置２０でアスペクト比１６：９のワイド画面へ変換するモードであることから、放送受信端末１０の座標系を（Ｘ，Ｙ）、カーナビゲーション表示装置２０の座標系を（Ｘ'，Ｙ'）とすると、  
Ｘ＝（３／４）Ｘ'  
Ｙ＝Ｙ'  
という座標変換式によって変換が可能である。
【００２８】
上記変換処理を行う際に、放送受信端末１０のＣＰＵ１４は図３に示す制御処理を実行する。まず、ユーザの指示入力に応じて、ＣＰＵ１４はカーナビゲーション表示装置２０から表示モードデータを取得し（ステップＳＴ３ａ）、この表示モードデータをメモリ１５に記憶保持する。
【００２９】
続いてＣＰＵ１４は、ユーザがカーナビゲーション表示装置２０のモニタ２２をタッチすることによりその座標データが到来した場合に（ステップＳＴ３ｃ）、メモリ１５に記憶した表示モードデータと自端末の表示モードデータとを比較し（ステップＳＴ３ｄ）、表示モードが一致するか否かの判定を行う（ステップＳＴ３ｅ）。
【００３０】
ここで、表示モードが一致しない場合に（Ｎｏ）、ＣＰＵ１４はカーナビゲーション表示装置２０からの座標データを自端末の表示モード用の座標データに変換し（ステップＳＴ３ｆ）、この座標データに基づく指示処理を実行する（ステップＳＴ３ｇ）。
【００３１】
一方、上記ステップＳＴ３ｅにおいて、表示モードが一致した場合に（Ｙｅｓ）、ＣＰＵ１４はそのまま上記ステップＳＴ３ｇの処理に移行する。
【００３２】
以上のように上記第１の実施形態では、ＣＰＵ１４により、カーナビゲーション表示装置２０の表示モードを示す表示モードデータを取得し、カーナビゲーション表示装置２０のモニタ２２の任意の表示位置にユーザがタッチした場合に、この表示位置を示す座標データを取得するようにしている。そして、到来した表示モードと自端末の表示モードとを比較し、この比較結果に基づいてカーナビゲーション表示装置２０からの座標データを自端末の座標データに変換するようにしている。
【００３３】
従って、如何なる表示モードのカーナビゲーション表示装置２０を使用しても、カーナビゲーション表示装置２０のモニタ２２中のタッチされた位置の表示内容に応じて正確な処理を行うことができる。
【００３４】
（第２の実施形態）  
この発明の第２の実施形態は、放送受信端末１０でカーナビゲーション表示装置２０の表示モードを取得する際の処理方法に関する。
【００３５】
まず、放送受信端末１０は、図４（ａ）に示す各座標データをメモリ１５に記憶しておき、ユーザの指定操作によりカーナビゲーション表示装置２０のモニタ２２に図４（ｂ）に示すような十字表示を等間隔で表示させる。
【００３６】
ユーザはこれら十字表示を１つずつタップする。このタップされた座標値は、放送受信端末１０に取り込まれ、全ての十字表示のデータがメモリ１５に格納される。
【００３７】
例えばカーナビゲーション表示装置２０の表示モードが図２（ｃ）に示すモード２である場合に、放送受信端末１０の十字表示はそれぞれ（ａｘ，ａｙ）、（ｂｘ，ｂｙ）であり、カーナビゲーション表示装置２０の十字表示はそれぞれ（ｃｘ，ｃｙ）、（ｄｘ，ｄｙ）であるので、カーナビゲーション表示装置２０の座標（Ｘ'，Ｙ'）に対応する放送受信端末１０の座標（Ｘ，Ｙ）の変換は、  
Ｙ＝ａｙ＝ｃｙ＝ｂｙ＝ｄｙ＝Ｙ'  
であり、Ｙ＝Ｙ'となる。
【００３８】
また、ｘ側の座標系は、  
Ｘ＝（ｂｘ（ｃｘ−Ｘ'）＋ａｘ（ｄｘ−Ｘ'））／（ｃｘ−ｄｘ）  
という変換式によって変換が可能となる。
【００３９】
以上のように上記第２の実施形態では、放送受信端末１０のメモリ１５に表示モードと予めタップが行なわれた座標値とを対応付けて記憶しておくようにしているので、カーナビゲーション表示装置２０のモニタ２２にタッチされた座標データを取得した場合に、メモリ１５に記憶されている表示モードの座標値を使用して、座標変換プログラム１５ａを用いることなく簡単な手順により座標データの変換処理を行うことができる。
【００４０】
また、座標変換プログラム１５ａを記憶したメモリ１５を用いなくて済む分、安価な放送受信端末を使用できる。
【００４１】
（第３の実施形態）  
この発明の第３の実施形態は、放送受信端末１０でカーナビゲーション表示装置２０の表示モードを取得する際の処理方法に関する。
【００４２】
放送受信端末１０は、カーナビゲーション表示装置２０から表示モードを取得する際に、図５に示す如く、モニタ２２に表示エリアの基準となる縦及び横の基準線２２ａ，２２ｂ（図５中では点線で図示）と、縦の基準線２２ａに対し、ユーザの指示入力に応じて横方向に移動可能で表示エリアの横方向の表示境界位置を決定する縦の直線２２ｃ（図５中では実線で図示）と、横の基準線２２ｂに対し、ユーザの指示入力に応じて縦方向に移動可能で表示エリアの縦方向の表示境界位置を決定する横の直線２２ｄ（図５中では実線で図示）とを表示するようにしている。
【００４３】
ここで、カーナビゲーション表示装置２０の表示モードがモード３である場合に、ユーザの指示でモニタ２２中の縦の直線２２ｃ及び横の直線２２ｄをスクロールさせることによって、カーナビゲーション表示装置２０に表示されている映像の画面表示エリアの情報を得ることができる。
【００４４】
一方、放送受信端末１０のＣＰＵ１４では、縦の基準線２２ａに対する縦の直線２２ｃのずれ量及び横の基準線２２ｂに対する横の直線２２ｄのずれ量に基づいて、カーナビゲーション表示装置２０から到来した座標データを自端末の座標データに変換するようにしている。
【００４５】
以上のように上記第３の実施形態であれば、ユーザが自身でカーナビゲーション表示装置２０のモニタ２２画面を見やすい画面に調整した場合に、その調整した画面に応じてカーナビゲーション表示装置２０からの座標データを放送受信端末１０用の座標データに変換することができる。
【００４６】
（第４の実施形態）  
この発明の第４の実施形態は、放送受信端末１０でカーナビゲーション表示装置２０の表示モードを取得する際の処理方法に関する。  
放送受信端末１０は、カーナビゲーション表示装置２０から表示モードを取得する際に、図６に示す如く、タッチ可能な表示エリア２２ｅを予め決めておくようにしている。
【００４７】
まず、放送受信端末１０は、ユーザの指定操作によりカーナビゲーション表示装置２０のモニタ２２の表示エリア２２ｅに十字表示を等間隔で表示させる。
【００４８】
ユーザはこれら十字表示を１つずつタップする。このタップされた座標値は、放送受信端末１０に取り込まれ、全ての十字表示のデータがメモリ１５に格納される。
【００４９】
次に、上記構成による処理動作について説明する。  
ユーザがカーナビゲーション表示装置２０のモニタ２２をタッチした際に、ＣＰＵ１４は図７に示す制御処理を実行する。
【００５０】
ユーザがカーナビゲーション表示装置２０のモニタ２２をタッチすることにより、そのタッチ位置を示す座標データを受信すると（ステップＳＴ７ａ）、ＣＰＵ１４は受信座標データがモニタ２２中の表示エリア２２ｅ内の座標データか否かの判定を行う（ステップＳＴ７ｂ）。
【００５１】
ここで、受信座標データがモニタ２２中の表示エリア２２ｅ内の座標データでない場合（Ｎｏ）、ＣＰＵ１４はそのまま処理を終了する。
【００５２】
一方、受信座標データがモニタ２２中の表示エリア２２ｅ内の座標データである場合（Ｙｅｓ）、ＣＰＵ１４はメモリ１５に記憶した座標値と自端末の座標値とを比較し（ステップＳＴ７ｃ）、座標値、つまり表示モードが一致するか否かの判定を行う（ステップＳＴ７ｄ）。
【００５３】
ここで、表示モードが一致しない場合に（Ｎｏ）、ＣＰＵ１４は座標値の誤差に基づいてカーナビゲーション表示装置２０からの座標データを自端末の表示モード用の座標データに変換し（ステップＳＴ７ｅ）、この座標データに基づく指示処理を実行する（ステップＳＴ７ｆ）。
【００５４】
一方、上記ステップＳＴ７ｄにおいて、表示モードが一致した場合に（Ｙｅｓ）、ＣＰＵ１４はそのまま上記ステップＳＴ７ｆの処理に移行する。
【００５５】
以上のように上記第４の実施形態であれば、カーナビゲーション表示装置２０のモニタ２２においてユーザによる選択が可能な表示エリアを表示エリア２２ｅに限定するようにしているので、ユーザが要求する処理等を明確化でき、処理負荷を抑えることができる。また、入力可能な表示エリアの座標値と自端末用座標値との対応関係を表すデータをメモリ１５に格納しておくようにすると、少ないメモリ容量で座標データの変換処理を迅速に行うことができる。
【００５６】
（第５の実施形態）  
この発明の第５の実施形態は、放送受信端末１０にカーナビゲーション表示装置２０の他に後席モニタ３０を接続したシステムに関する。
【００５７】
図８は、この発明に係わる放送受信端末装置が使用されるシステムの第５の実施形態を示すブロック図である。
【００５８】
放送受信端末１０には、複数台の表示装置を接続可能なインタフェース１７が設けられており、そのインタフェース１７にカーナビゲーション表示装置２０及び自動車内の後席モニタ３０を接続している。
【００５９】
後席モニタ３０は、タッチパネル式の表示装置で、表示画面中の任意の表示位置にユーザによるタッチが行なわれた場合に、その座標データを放送受信端末１０に送出する。放送受信端末１０は、ユーザの指示入力に応じて、後席モニタ３０に対し表示モードの取得要求をインタフェース１７を介して送出し、この取得要求に応じて後席モニタ３０が送信する表示モードデータを受信する。そして、受信した表示モードデータをメモリ１５に記憶保持する。
【００６０】
そして、放送受信端末１０のＣＰＵ１４は、後席モニタ３０から座標データが到来した場合に、メモリ１５から後席モニタ３０の表示モードデータ及び自端末の表示モードデータを読み出して比較照合し、この結果に基づいて受信座標データを自端末用の座標データに変換して入力指示に応じた処理を実行する。
【００６１】
以上のように上記第５の実施形態であれば、自動車内において、前席のユーザと後席のユーザが１台の放送受信端末１０を共用する場合に、各ユーザごとにカーナビゲーション表示装置２０または後席モニタ３０の表示画面に対し任意の表示位置に入力を与えて要求した処理を放送受信端末１０に実行させることができる。
【００６２】
（その他の実施形態）  
なお、この発明は上記各実施形態に限定されるものではない。例えば上記第１の実施形態では、モード１に対応した座標変換プログラムをメモリに記憶しておき、座標データ到来時に、メモリ中の座標変換プログラムを用いて座標データの変換処理を行う例について説明した。しかしこれに限ることなく、メモリ中にモード２、モード３それぞれに対応する座標変換プログラムを記憶しておき、接続されるカーナビゲーション表示装置に応じて座標変換プログラムを選択的に読み出して座標変換処理を行うようにしてもよい。
【００６３】
また、上記第２の実施形態では、モード２に対応してタップされた座標値をメモリに記憶しておく例について説明した。しかしこれに限ることなく、モード１、モード３にそれぞれ対応付けて、タップされた座標値をメモリに記憶しておくようにしてもよい。
【００６４】
また、各実施形態では、ユーザの指示入力に応じて、カーナビゲーション表示装置から表示モードを取得する例について説明したが、カーナビゲーション表示装置または放送受信端末の起動時に、カーナビゲーション表示装置から表示モードを取得するようにしてもよい。
【００６５】
さらに、上記各実施形態ではカーナビゲーション表示装置を例にとって説明したが、ノート型のパーソナル・コンピュータやＰＤＡ等の携帯情報端末、タッチパネル式のオーディオ機器等にも、この発明は適用可能である。また、タッチパネル式以外にも、マウス等を用いてカーソルを任意の表示位置に移動させてクリックする手段を用いてもよい。
【００６６】
その他、放送受信端末の構成、外部表示装置の種類、ＣＰＵの機能、任意の表示位置への入力方法、表示モードの取得手順や座標データの変換手順等についても、この発明の要旨を逸脱しない範囲で種々変形して実施できる。
【図面の簡単な説明】
【００６７】
【図１】この発明に係わる放送受信端末装置が使用されるシステムの第１の実施形態を示すブロック図。
【図２】同第１の実施形態で使用される放送受信端末の表示画面及びカーナビゲーション表示装置の表示画面を示す図。
【図３】同第１の実施形態における放送受信端末の制御手順及び制御内容を示すフローチャート。
【図４】この発明の第２の実施形態において、カーナビゲーション表示装置にタップ入力画面を表示する例を示す図。
【図５】この発明の第３の実施形態において、カーナビゲーション表示装置にカーソル入力画面を表示する例を示す図。
【図６】この発明の第４の実施形態において、カーナビゲーション表示装置に入力可能エリア画面を表示する例を示す図。
【図７】同第４の実施形態における放送受信端末の制御手順及び制御内容を示すフローチャート。
【図８】この発明に係わる放送受信端末装置が使用されるシステムの第５の実施形態を示すブロック図。
【符号の説明】
【００６８】
１０…放送受信端末、１１，１７，２１…インタフェース、１２…アンテナ、１３…チューナ、１４，２５…ＣＰＵ、１４ａ…表示モード取得機能、１４ｂ…データ変換機能、１５，２６…メモリ、１５ａ…座標変換プログラム、１６，２７…表示コントローラ、２０…カーナビゲーション表示装置，２２…モニタ，２３…タッチパネル，２４…タッチパネルコントローラ、２８…セレクタ、３０…後席モニタ。
【図１】
2005294961.tif 000003
【図２】
2005294961.tif 000004
【図３】
2005294961.tif 000005
【図４】
2005294961.tif 000006
【図５】
2005294961.tif 000007
【図６】
2005294961.tif 000008
【図７】
2005294961.tif 000009
【図８】
2005294961.tif 000010